(57)【要約】【課題】  入賞ライン数が増加するほど、入賞ラインの形態が複雑になり、どの入賞ラインが有効化されているかが分かり難く、また、９個の図柄位置を瞬時に判断することは、困難であるという問題があった。【解決手段】  図柄表示領域を、左リール３個、中リール３個、右リール中段１個の計７個にし、第１図柄表示窓の各図柄と、第２図柄表示窓の図柄とを横に結んで、横方向３本となるように入賞ラインを形成したことを特徴とする。従来の遊技機よりも入賞ライン数が少なくなると共に、その形態も単純にすることができる。さらに、右リールに停止する図柄によっては、同一種類の入賞役であっても、配当が変化するため、多様な遊技性を実現でき、興趣に富んだ遊技機を提供することができる。【選択図】図６
2007083014.tif 000002
【特許請求の範囲】
【請求項１】
外周に図柄を配列した複数のリールと、前記複数のリールを個々に回転させるためのリール駆動手段と、前記複数のリールに対応し、前記複数のリールを個々に停止させるための複数のリール停止手段と、遊技毎に抽選を行う抽選手段と、前記抽選手段による抽選の結果、内部当選した入賞役に対応する図柄が、複数の入賞ラインのうち、有効な入賞ライン上に停止した場合に、前記入賞役に応じたメダルの払出しを行う遊技制御手段とを備えた遊技において、
前記リールの外周に配列される図柄は、前記入賞役を構成する複数種類の図柄と、前記入賞役とは異なる機能を有する少なくとも一種類の特典図柄とを含み、前記入賞役を構成する少なくとも一種類の図柄と、前記特典図柄との組み合わせで、前記入賞役の価値を変化させることを特徴とする遊技機。
【請求項２】
前記特典図柄の出現は、所定の入賞役に入賞した場合に移行する特別遊技のゲーム数を増加させることを特徴とする請求項１に記載の遊技機。
【請求項３】
前記特典図柄の出現は、所定の入賞役のメダル払出し枚数を増加させることを特徴とする請求項１又は２に記載の遊技機。
【請求項４】
前記特典図柄は、少なくとも１つのリールの外周に配列され、前記入賞役に対応する図柄は、他のリールの外周に配列されていることを特徴とする請求項１から３のいずれかに記載の遊技機。
【請求項５】
前記特典図柄が配列されているリールのリールテープは、図柄の背景部分が、前記入賞役が配列されているリールのリールテープの背景色とは異なる色で着色されていることを特徴とする請求項１から４のいずれかに記載の遊技機。
【請求項６】
前記図柄が表示される領域は、前記複数のリールのうち、各リールの図柄が３個ずつ視認可能な、前記入賞役が配列されているリールを表示する第１図柄表示窓と、前記特典図柄が配列されているリールの一部を視認可能な第２図柄表示窓とから構成されていることを特徴とする請求項１から５のいずれかに記載の遊技機。
【請求項７】
前記第２図柄表示窓は、図柄１つ分を視認可能な程度の大きさで、形成されていることを特徴とする請求項６に記載の遊技機。
【請求項８】
前記第１図柄表示窓の各図柄と、前記第２図柄表示窓の図柄とを横に結んで入賞ラインを形成したことを特徴とする請求項６に記載の遊技機。
【発明の詳細な説明】
【技術分野】
【０００１】  本発明は、図柄が配列された複数のリールを回転表示し、遊技者のリール停止ボタン操作によって、すべてのリールの回転が停止した時に現れる図柄の組み合わせに基づいて入賞が決定され、所定の払出しが行われるスロットマシンに代表される遊技機に関する。
【背景技術】
【０００２】  従来のスロットマシンに代表される遊技機は、外周に図柄が配列された３個の回転リールが並列に配置され、遊技機正面の表示窓内には、各リールの図柄が３個ずつ、マトリクス状に表示され、全部で９個の図柄が視認可能になっている。外周に配列された図柄は遊技中に遊技者が図柄を目視しやすいように、各リール内側に設けられたランプ又はＬＥＤ（以下バックライトという）によって背面から照らされている。【０００３】  遊技者が、メダル投入口にメダルを投入し、スタートレバーを操作すると、各リールは回転を開始してゲームがスタートする。各リールが一斉に回転を始めると、表示窓には図柄が移動して表示される。【０００４】  遊技者が移動表示される図柄を見ながら各リールに対応する停止ボタンを操作すると、夫々のリールが停止し、入賞ライン上にいずれかの図柄が停止する。
入賞ラインは５本設けられており、メダルの投入枚数が１枚、２枚、３枚と増えるに伴って、有効となるラインの本数も１本、３本、５本と増えるようになっている。その結果、有効となっている入賞ライン上に所定の図柄組み合わせが揃うと入賞となり、メダルの払出しが行われる。【０００５】  遊技者は、内部当選が報知された場合等に、その当選している役に対応する図柄を、有効となっている入賞ライン上に停止させるように、タイミングを計って停止ボタンを操作する。
そして有効となっている入賞ライン上に、入賞役に対応する図柄を揃え、入賞させることができれば、その役に対応する枚数のメダルの払出しを受けることができる。また、役に対応する図柄を揃えることができなければ投入したメダルを失うことになる。【０００６】  図柄組み合わせの種類に対応する入賞役（役物ともいう）は、予め決められており、それらの図柄を入賞ライン上に停止させ、入賞させることができた場合には、その役に応じて払出しが行われる。停止した図柄がビッグボーナス（ＢＢ）、或いはレギュラーボーナス（ＲＢ）図柄であった場合は、それぞれＢＢ遊技、或いはＲＢ遊技等の特別遊技に移行でき、遊技者に大きな利益が付与される。ボーナスゲームは、それぞれ所定の遊技構成が設定されており、例えば、ＲＢ遊技は、所定の役物を高確率で入賞させることが可能であり、入賞毎に、例えば、１５枚のメダルが払出される。ＲＢ遊技は最大１２回のゲーム数を消化するか、或いは最大８回の入賞が達成されることにより終了となる。ＢＢ遊技は、小役が高確率で発生するＢＢ中一般ゲーム（小役ゲームとも言う）と上記ＲＢ遊技を組み合わせたものであり、ＢＢ遊技中一般ゲームを３０回消化するか、ＢＢ遊技中のＲＢ遊技が３回実行されると終了なる。尚、近年、ＢＢ遊技中のメダル獲得枚数が規定の上限値に達したことを条件に、ＢＢ遊技を終了させるようにしたものもある。【０００７】  さらに、上記特別遊技状態とは異なる遊技状態であって、所定の開示条件が成立した場合に、所定の確率で発生する特殊遊技モードがある。この特殊遊技モードとしては、例えば、複数のリールのうち、少なくとも１つのリールを無制御にし、遊技者の停止ボタンの操作タイミングによってリールを停止させるＣＴ（チャレンジタイム）や、メダル、或いはクレジットを賭けることなく、次回のゲームを開始できるリプレイゲームを、所定回数、又はその他の所定終了条件が成立するまで継続して実行でき、リプレイ当選確率が、通常遊技状態における当選確率よりも高確率に設定されたＲＴ（リプレイタイム）と呼ばれるものがある。【０００８】  内部抽選による役物の抽選確率は、射倖性が適正の数値範囲内となるように、遊技状態や、メダルの賭け数に対応して予め設定されている。特に遊技者に大きな利益を付与するボーナス役の当選確率の違いは、遊技者によって投入されたメダル数と遊技者に対して払い出されるメダル数の比率（以下ペイアウト率）に大きな影響が出るため、これらの設定値は、従業員が、遊技機毎に設定手段を操作し、例えば、６段階の設定の中から一つの設定値を選択して設定することができるようになっている。【０００９】  また、一般的に、通常遊技状態において、入賞役に当選した場合、その入賞役に対応する当選フラグが設定され、所定の範囲内（例えば、４コマ以内）で引き込み制御をすることにより、入賞図柄を入賞ライン上に停止させるように制御される。従って、当選フラグが設定されている場合であっても、遊技者のリール停止ボタンの操作タイミング（目押し）が悪ければ、入賞図柄が引き込まれずに外れとなる場合がある。特に、特別遊技役の当選フラグは、そのゲームで入賞しなかった場合でも、次回以降のゲームで入賞するまで、当選フ���グは持ち越されるが、その他の入賞役（小役等）は、当選フラグが設定されたゲームで入賞しなかった場合は、当選フラグが消滅してしまうため、目押しができない遊技者にとっては、小役の取りこぼしによる損失感が増大することになる。【００１０】  上述したような従来の遊技機では、入賞ラインが、最大で５通りであるため、遊技の変化が乏しく、遊技性に制約を受けるという問題があった。また、入賞ライン数を少なくすると、目押しができない初心者が、入賞ライン上に入賞役の図柄を停止させることが確率的に困難になるという問題があった。こうした問題を解決するために、特開２００２−２６３２５５及び実登３０６２０７９において、入賞ライン数を増やすことができる技術が開示されている。
【特許文献１】特開２００２−２６３２５５号公報
【特許文献２】実登３０６２０７９号公報
【発明の開示】
【発明が解決しようとする課題】
【００１１】  しかしながら、入賞ライン数が増加するほど、入賞ラインの形態が複雑になり、どの入賞ラインが有効化されているかが分かり難く、また、９個の図柄位置を確認しながら、どの入賞ライン上に図柄を停止させればよいかを、瞬時に判断することは、特に、初心者の遊技者にとっては、困難である。本発明は、こうした問題を解決するために、入賞ライン数を減らして、単純な形態とするとともに、目押しができない遊技者の停止ボタン操作の負担を軽減させることができる遊技機を提供する事にある。
【課題を解決するための手段】
【００１２】  外周に図柄を配列した複数のリールと、前記複数のリールを個々に回転させるためのリール駆動手段と、前記複数のリールに対応し、前記複数のリールを個々に停止させるための複数のリール停止手段と、遊技毎に抽選を行う抽選手段と、前記抽選手段による抽選の結果、内部当選した入賞役に対応する図柄が、複数の入賞ラインのうち、有効な入賞ライン上に停止した場合に、前記入賞役に応じたメダルの払出しを行う遊技制御手段とを備えた遊技において、
前記リールの外周に配列される図柄は、前記入賞役を構成する複数種類の図柄と、前記入賞役とは異なる機能を有する少なくとも一種類の特典図柄とを含み、前記入賞役を構成する少なくとも一種類の図柄と、前記特典図柄との組み合わせで、前記入賞役の価値を変化させることを特徴とする。【００１３】  前記特典図柄の出現は、所定の入賞役に入賞した場合に移行する特別遊技のゲーム数を増加させること、又は、所定の入賞役のメダル払出し枚数を増加させることを特徴とする。【００１４】  前記特典図柄は、少なくとも１つのリールの外周に配列され、前記入賞役に対応する図柄は、他のリールの外周に配列されていることを特徴とする。さらには、前記特典図柄が配列されているリールのリールテープは、図柄の背景部分が、前記入賞役が配列されているリールのリールテープの背景色とは異なる色で着色されていることを特徴とする。【００１５】  前記図柄が表示される領域は、前記複数のリールのうち、各リールの図柄が３個ずつ視認可能な、前記入賞役が配列されているリールを表示する第１図柄表示窓と、前記特典図柄が配列されているリールの一部を視認可能な第２図柄表示窓とから構成されていることを特徴とする。さらには、前記第２図柄表示窓は、図柄１つ分を視認可能な程度の大きさで、形成されていることを特徴とする。
【発明の効果】
【００１６】  このような構成とすることにより、図柄表示領域は、左リール３個、中リール３個、右リール１個の計７個に減少するため、遊技者は、遊技中に注視しなければならない領域が狭くなり、どこに入賞図柄が停止したかが認識し易くなる。【００１７】  また、入賞ラインの形態が横方向３本、略水平一直線となるため、従来の遊技機よりも入賞ライン数が少なくなると共に、その形態も単純にすることができる。よって、遊技者は、入賞ラインと各リールの図柄表示領域に表示される図柄との関係を把握し易くなるため、遊技中における負担を軽減することができる。【００１８】  また、左リールの上段、中段、下段のいずれかに、所定の入賞役の一つ（例えば、「７」又は「からす」）が停止した場合、中リールは、入賞ライン上に、左リールと同じ図柄が引き込まれるようにリールが停止制御されるため、入賞ライン上に図柄を停止させるための停止ボタンの操作タイミングは、左リールに対してのみ注意すればよく、停止ボタン操作の煩わしさを軽減することができる。【００１９】  さらに特典図柄が配列されたリールに停止する図柄によっては、同一種類の入賞役であっても、配当が変化するため、多様な遊技性を実現でき、興趣に富んだ遊技機を提供することができる。さらに、特典図柄が配列されたリールのリールテープの背景色を、他のリールとは異なる色で形成することにより、特典図柄が配列されたリールに停止する図柄によって配当が変化するという本発明の遊技性を強調することができ、視覚的に従来の遊技機と異なる遊技機であることを遊技者にアピールすることができる。
【発明を実施するための最良の形態】
【００２０】  以下、本発明の好ましい実施形態を、添付図面を参照して説明する。尚、同一の構成部分については、同一の符号を記すものとする。
図１は、本発明によるスロットマシンの一実施形態の外観を示す正面図であり、図２は、図１のスロットマシンの前扉を開放した状態で視認される内部構造を示す正面図である。また、図３は、本発明によるスロットマシンの一実施形態の遊技処理制御回路を示す概略ブロック図である。【００２１】  図１、図２及び図３において、スロットマシン本体１の前扉２には、前面パネルが取り付けられており、この前面パネル内の透明な第１の図柄表示窓３を通して、スロットマシン本体内部に並設されている３個のリール４、５、６のうち、２つのリール４、５を観察できる。各リールの外周面には、例えば２１個の図柄が等間隔で配列されており、図柄は、ボーナス図柄（ＢＢ）、小役図柄、リプレイ図柄等から構成され、各リールはそれぞれ異なる図柄配列となっている。表示窓３からは、２つのリール４、５の上段、中段、下段にそれぞれ位置する３個、合計６個の図柄を視認可能となっている。【００２２】  また、小型の第２の図柄表示窓７からは、リール６の外周面に描かれた図柄が１つ観察できる。リール６に描かれた図柄のうち、リプレイ図柄等一部の図柄は、リール４、５と共通して設けられており、リール４、５に停止した図柄と組み合わせて、３個の図柄が同一入賞ライン上に揃うことで、入賞が判定される。さらに、「ｘ１」、「ｘ２」、「ｘ３」といった、リール４、５の図柄とは異なる図柄が描かれており、これらの図柄は特典図柄として作用するものであり、第２図柄表示窓７に、いずれの特典図柄が停止するかによって、第１図柄表示窓３に停止した入賞役との組み合わせによる配当又はゲーム数が変化することになる。例えば、「ｘ２」、又は「ｘ３」の図柄が出現した場合には、それぞれ第１図柄表示窓３に停止した入賞役と「ｘ１」が入賞した場合に対応する価値（配当、又はゲーム数）が、２倍又は３倍となる。【００２３】  本発明において、入賞ラインは、第１図柄表示窓３に表示される各図柄と、第２図柄表示窓７に表示される１つの図柄とを横に結んだ３本で構成されており、これらの入賞ラインに沿って停止した図柄の組み合わせに基づいて、入賞判定が行われる。【００２４】  入賞ライン数は、メダル投入口（図示せず）から投入されたメダル枚数、或いは、クレジットメダル表示部（図示せず）にメダルがクレジットされている場合には、ＢＥＴスイッチ４０の押下操作によって設定されたメダル投入数に応じて有効本数が異ならせ、例えば、１枚のメダルが投入された場合は、入賞ライン表示ランプ（図示せず）が点灯し、中段の入賞ラインを１本表示させ、２枚のメダル投入があった場合は、上段及び中段の２本の入賞ライン、そして３枚のメダルが投入されると、上段、中段及び下段の３本全ての入賞ラインを表示させることも可能であり、また、常にメダル３枚賭けで、３本の入賞ラインを全て有効にして遊技させるようにしてもよい。【００２５】  前扉２の両側にはサイドランプ８及びサイドスピーカー９、上方には上部ランプ１０、また第１図柄表示窓３の上部には液晶表示部１１が設けられ、図柄表示窓３及び７の下方にゲーム回数や入賞回数等を表示するためのＬＥＤ表示部（図示せず）が設けられている。これらは各駆動回路を介して駆動され、ゲーム��の一般的な入賞報知やマシン動作の効果音、効果サウンド等出力する他、様々な内部抽選の結果を遊技者に報知するための表示手段を構成している。なお、ゲーム中の内部当選の報知は、上記表示手段の他に、別途個別の専用の告知表示部を設け、そこで行わせるようにしてもよい。【００２６】  スロットマシン１の前面中央には、各リール４〜６を回転させるための可変表示始動手段であるスタートレバー１２が設けられ、更に、各リールの回転を停止させるためのリール停止手段であるリール停止ボタン１３〜１５が各リールに対応して３個設けられている。【００２７】  また、スロットマシンの前面下部には、メダル受皿１６が設けられており、投入されたメダルを返却する返却口（図示せず）や入賞時に獲得したメダルを払い出すメダル払出口（図示せず）から排出されたメダルを貯留するためのものである。【００２８】  図２において、リール４〜６は、リールユニット１７として構成され、各リール毎にリール駆動手段の一部であるステッピングモータ１８が連結されており、このステッピングモータの駆動によって各リールを回転させ、各表示窓３及び７内にそれぞれリール４〜６を移動表示させる。各リール４〜６の内部にはランプケース１９がそれぞれ設けられており、各ランプケース内にバックライト２０が取り付けられている。各バックライトはランプ駆動回路（図示せず）を介して個別に点灯制御され、各リール毎に１個〜３個の図柄を背面から照らすことができる。【００２９】  また、リールユニットの下方には、メダルホッパー２１と電源ユニット２２が設けられている。電源ユニット２２は、内部抽選の当選確率の設定値（例えば設定１から設定６までの６段階）を変更するための設定段階選択スイッチ２３、設定スイッチの操作を有効とするための設定キースイッチ２４等を備えている。【００３０】  図３において、制御部はメイン制御部２５とサブ制御部２６とを備えている。メイン制御部はＣＰＵ２７、クロック発生回路２８、ＲＯＭ２９、ＲＡＭ３０、抽選処理部３１、遊技制御部３２、遊技数カウント部３３、サブ制御部にデータを送出するための送出タイミング制御回路３４及びデータ送出回路３５等から主に構成されている。ＣＰＵ２７は入力ポート３６及び出力ポート３７を備えており、入力ポート３６を介してメダルセンサ３８、第１、２、３リールストップボタン操作部１３〜１５、スタートレバー１２、第１、２、３リールインデックス３９、ＢＥＴスイッチ４０等が接続されている。また、出力ポート３７には、メダルブロックソレノイド４１、スタートレバーＬＥＤ４２、ＢＥＴ表示ランプ４３、ＬＥＤ表示部４４、第１、２、３リールステッピングモータ１８等の周辺装置が電気的に接続されている。各リールステッピングモータ１８は、リール４〜６と同軸で連結されており、一定のステップ角で各リール４〜６を回転させる。リールインデックス３９は、各リール４〜６が一回転する毎に発生するリセットパルスを検出し、その所定の基準位置からの回転角度をリールの回転位置として計数し、その計数値がＣＰＵ２７に入力される。【００３１】  また、ＲＯＭ２９には、スロットマシンで実行されるゲームシーケンスプログラムの他、図柄テーブル、入��組み合わせテーブル、抽選確率テーブル等、固定データが格納されており、ＲＡＭ３０は、ＣＰＵ２７が実行するプログラムの一時的なデータ記憶領域として使用される。【００３２】  一方、サブ制御部２６は、ＣＰＵ４７、音声ＬＳＩ４８、データ入力回路４９、クロック発生回路５０、制御用ＲＯＭ５１、ＲＡＭ５２、音声用ＲＯＭ５３、アンプ回路５４等を備え、液晶（ドット）表示装置１１、上部ランプ１０、サイドランプ８、リールバックライト２０、及びスピーカー９等が接続されている。【００３３】  ＣＰＵ２７は、ゲームの状況に応じて、データ送出回路３５に出力タイミング情報信号を出力し、データ送出回路に出力されたこの出力タイミング情報信号を一時的に蓄えた後、送出タイミング制御回路３４からの出力信号に基づいて、サブ制御部２６のデータ入力回路４９に出力する。【００３４】  さらに、ＣＰＵ２７は、ゲームの進行状況に応じて、ＲＯＭ２８に記憶されている固定データの中から必要なデータを呼び出すと共に、入出力ポートに接続されている各周辺機器からの入出力信号に基づいて遊技機の動作を制御している。【００３５】  次に本発明のゲーム方法の概要を説明する。遊技者は、メダル投入口からメダルを投入するか、クレジット表示部にクレジットされたメダルがある場合にはＢＥＴスイッチ４０を操作して投入するメダル枚数を任意に決定する。その投入されたメダル枚数に応じて入賞ラインが有効化され、スタートレバー１２の操作によってゲームがスタートする。スタートレバー１２が操作されるとリール４〜６が順次回転を開始し、遊技者は各リールに対応する各停止ボタン１３〜１５を操作してリールの回転を停止させる。通常、スターレバー操作後に行われる内部抽選の結果、所定の入賞役（役物ともいう）に当選し、且つ、全てのリールが停止した時に特定の図柄が３本の入賞ラインのいずれかに沿って揃った場合に入賞となる。図柄組み合わせの種類に対応する役と配当は予め決められており、その役に応じて所定数のメダルの払出しが行われる。【００３６】  入賞ライン上に停止した図柄の組み合わせが、ボーナス（ＢＢ）図柄であった場合は、ＢＢ遊技に移行でき、更なる払出しの増加が期待できる。本実施例では、リール停止ボタンは順押し（左、中、右）で遊技され、左リールは３本の入賞ライン上のいずれかに、ＢＢ図柄が停止した場合、中リールのＢＢ図柄が引き込み制御されるようになっており、左リール、中リールの同一入賞ライン上にＢＢ図柄が揃った（テンパイした）時点で、右リールは、特典図柄の一つが引き込み制御され、ボーナス確定となる。ＢＢ遊技は、「７」「７」「ｘ１」の図柄組み合わせが入賞ライン上に揃った場合、全部で５回のゲームを実行することができ、この間に所定の図柄組み合わせ（例えば、「ひよ子」図柄）が高確率で発生する。本実施例においては、左リールの上段、中段、下段のいずれかに、「ひよ子」図柄が出現した場合に入賞となり、１５枚のメダルが払い出され、ＢＢ遊技中に合計７５枚（１５枚ｘ５ゲーム）の配当を得ることができる。また、「７」「７」「ｘ２」の図柄組み合わせが入賞ライン上に揃った場合、全部で１０回のゲームを実行することができ、ＢＢ遊技中に合計１５０枚（１５���ｘ１０ゲーム）の配当を得ることができる。「７」「７」「ｘ３」の図柄組み合わせが入賞ライン上に揃った場合、全部で１５回のゲームを実行することができ、ＢＢ遊技中に合計２２５枚（１５枚ｘ１５ゲーム）のメダルが払い出される。【００３７】  尚、ＢＢ遊技中は、メダル３枚賭けで、左リールの入賞ライン（上段、中段、下段）を有効化し、「ひよ子」図柄を引き込めるように左リールが停止制御されるため、リール停止ボタンは、押し順不問で、停止ボタンの操作タイミングも考慮することなく、「ひよ子」図柄を停止させて、確実に１５枚の配当を獲得することができる。【００３８】  通常遊技中は、小役図柄の場合は、フラグが持ち越されないため、そのゲームで内部当選している小役図柄を停止させることができた場合のみ、所定の払出しが行われてゲームが終了となる。小役Ａの「からす」図柄が左リール及び中リールにテンパイした場合は、右リールに特典図柄が引き込み制御され、小役Ａに対応する配当（例えば５枚）に、停止した特典図柄に対応付けられた数値（「ｘ１」、「ｘ２」、「ｘ３」）が乗算されたメダル数が払い出される。リプレイ図柄の場合は、入賞ライン上のいずれかに、３個のリプレイ図柄「卵」が揃って停止した場合に入賞となり、メダルを投入することなしに再度ゲームをスタートさせることができる。【００３９】  入賞役の内部抽選の結果は、複数の報知形態で遊技者に告知される。その一つはリーチ目予告であり、リーチ目とは、ボーナスフラグが成立している時にのみ出現するようリールが停止制御される図柄組み合わせ（出目）であって、このリーチ目は機種によっては百種類以上存在する。熟練した遊技者はこのリーチ目を覚えることによって、ボーナスフラグの内部当選を瞬時に判別することができる。【００４０】  また別の報知形態としては、遊技者が内部当選の有無を判別し易いように、視覚、聴覚、触感で遊技者に報知する表示手段を備えている。例えば、上部ランプ１０、サイドランプ８、リールバックライト２０、及び専用の告知ランプ（図示せず）等を点灯、点滅表示したり、スピーカー９から特定のサウンドを出力したり、さらには、液晶表示装置１１等を設けて演出表示される。さらに、リール４〜６が回転を停止するときに通常回転とは異なる動作、例えば、逆回転や振動させて停止するように制御させることも可能である。また、これらの様々な手段を組み合わせることによって、入賞役の内部当選の発生を異なる確率で遊技者に知らせることができる。例えば、専用の告知ランプが点灯したときは、１００％の確率で所定の入賞役に内部当選していることを遊技者に告知し、その他例えばリールのバックライトの点滅パターンとスピーカーから出力される遊技音の組み合わせによっては、所定の入賞役に１００％内部当選している場合もあるし、内部当選していない場合（ガセ）もあるという、擬似演出を表示させることも可能である。
さらには、液晶表示装置では、所定の入賞役の内部当選の確率を、動画像を用いた複数の演出パターンの中から所定の選択条件に基づいて一つ、或いは複数のパターンの組み合わせを選択して演出表示することができる。【００４１】  図４は、各リールの図柄配列を例示した図である。同図において、入賞ラインに関係する左リール４には、入賞役として設定されている、ビッグボーナス（ＢＢ）図柄の「７」、小役Ａ図柄として「からす」、小役Ｂ図柄として「ひよ子」、リプレイ図柄の「卵」及びハズレ図柄「羽」の、各図柄が複数個、所定間隔で配列されている。また、中リールには、小役Ｂ図柄「ひよ子」を除いた各図柄が、それぞれ複数個、所定の間隔で配置されている。そして、右リールには、入賞役を構成する「７」、「からす」、「ひよ子」等の図柄の代わりに、「ｘ１」、「ｘ２」、「ｘ３」の３種類の特典図柄と、入賞ライン上に３個の図柄の停止が成立条件となるリプレイ図柄である「卵」が、それぞれ複数個、所定間隔で配列されている。【００４２】  図５は、本発明の実施に係る遊技機の入賞ラインの形態を例示した図である。本実施例における入賞ラインは、左リール４の上段、中リール５の上段及び右リール６の各図柄を結ぶラインと、左リール４の中段、中リール５の中段及び右リール６の各図柄を結ぶラインと、左リール４の下段、中リール５の下段及び右リール６の各図柄を結ぶラインとの、合計３本のラインによって構成される。【００４３】  このように、入賞ライン数を、一部が平行する横方向の略直線の３本とし、入賞ラインの形態を単純化することにより、遊技者は、入賞ライン及び入賞ライン上に停止する図柄を認識し易くなり、遊技中の負担を軽減することができる。【００４４】  図６は、本発明の実施に係る遊技機の入賞図柄停止パターンを示す図である。本実施例においては、上記した略水平方向の３本の入賞ライン上に沿って、左リールと中リールの同一ライン上に、同一種類の所定の図柄が２個並列して停止した場合に、右リールの特典図柄の一つが必ず停止して入賞となるように制御される。【００４５】  例えば、図６に示すように、遊技者が順押しで、左リール、中リール、右リールの順番でそれぞれのリールに対応する停止ボタンを押下した場合、左リール中段に「７」図柄を停止させることができれば、中リールは、中段に「７」図柄が停止するように引き込み制御され、さらに、右リールの特典図柄のうち、内部当選している「ｘ１」、「ｘ２」、又は「ｘ３」のいずれかが、図柄停止窓７内に引き込み制御されて、ＢＢ遊技に移行することができる。このＢＢ遊技中は、５回のゲームを行うことができ、左リールの上段、中段、下段のいずれかに、「ひよ子」が停止する毎に１５枚のメダルが払い出される。すなわち、「ｘ１」が揃ったＢＢ遊技では、最大７５枚、「ｘ２」が揃ったＢＢ遊技では、２倍の最大１５０枚、「ｘ３」が揃ったＢＢ遊技では、３倍の最大２２５枚のメダルを獲得できることになる。【００４６】  さらに、本発明においては、右リールの第２図柄表示窓７に出現する特典図柄によって、ＢＢ遊技のゲーム回数が変化させられているかのように、遊技者は感じるため、右リールが停止するまで遊技に集中して楽しむことができる。例えば、実質的に、特典図柄「ｘ１」の出現は、ＢＢ遊技を１回行う権利を付与するものであり、特典図柄「ｘ２」は、ＢＢ遊技を２回、特典図柄「ｘ３」は、ＢＢ遊技を３回行った場合と同等の価値を有するものである。つまり、特典図柄「ｘ２」が第２図柄表示窓７に停止した場合は、７５枚ｘ２回＝１５０枚、特典図柄「ｘ３」が第２図柄表示窓７に停止した場合は、７５枚ｘ３回＝２２５枚のメダルを獲得することができる。従って、ＢＢ入賞によって付与される価値（配当、或いはゲーム数）は、特典図柄の出現によって変化することになる。【００４７】  また、図７に示すように、本発明における第２実施例においては、３つのリールが停止した場合に第１表示窓に表示される左リール及び中リールと、第２表示窓に表示される右リールのリールテープの図柄の背景部分を異なる色で着色するようにした。従来の遊技機では、各リールに所定の同一図柄を３つ揃えて停止させることによって入賞となるのに対し、本発明においては、第１表示窓に表示される左リール及び中リールに所定の同一図柄が停止した場合、第２表示窓に表示される右リールに停止した特典図柄の種類によって入賞のメダル払出し枚数を変化させるようにしたことを特徴とする。つまり、本発明においては、右リールに配列される図柄の種類とその特性が従来の遊技機とは異なることを特徴としている。従って、上述したように第１表示窓に表示される少なくとも２つのリールと第２表示窓に表示される少なくとも１つのリールとのリールテープの図柄背景部分の色を異ならせることにより、従来の遊技機との遊技性の違いを強調することができる。【００４８】  さらには、第１表示窓と第２表示窓とのリールのリールテープに描かれた図柄の背景色を異ならせることにより、従来の遊技機との違いを視覚的に遊技者にアピールできるため、遊技場に入場した遊技者は本発明の遊技機を容易に判別することができ、また、遊技者に対して本発明における遊技性の特徴を明確に認識させることができる。【００４９】  このように、本発明は、左リール及び中リールの、それぞれ上段、中段、下段のいずれかに停止した入賞役として設定されている図柄と、右リールに停止する特典図柄の種類との組み合わせで入賞役の価値が変化するものであって、本発明における入賞ラインを構成する図柄表示領域は、実質上、左リール及び中リールの、それぞれ３個、合計６個の図柄表示領域であり、入賞ライン数も、左リール及び中リールの、上段、中段、下段の平行する３本のラインとなるため、図柄の停止位置と入賞ラインの関係を認識することが容易となる。つまり、遊技者が遊技中において、常に神経を集中していなければならない図柄表示領域や有効な入賞ラインの数が、従来の遊技機よりも少なくなるため、遊技中における負担を軽減することができる。【００５０】  さらに、本発明では、右リールに配列されている図柄のうち、特典図柄として設定されている図柄は、入賞ライン上に停止した入賞役に対して、さらなる利益が付与されることを確定させる作用を有している。また、本実施例では、特典図柄として設定されている３種類の図柄は、３個が連続して複数組ずつ、所定の間隔で配置されているため、停止ボタンの押下タイミ���グが計り易く、３種類のうち、いずれかの特典図柄を第２図柄表示窓７内に停止させることは、「目押し」といった高等技術が苦手な初心者であっても確実に特典図柄の一つを第２図柄表示窓内に停止させることができるため、上級者との技術格差による遊技結果の差を縮小した遊技機を提供することができる。【００５１】  図８を参照して、本実施例におけるメイン遊技動作について説明する。尚、メイン遊技とは、遊技機を操作して行う１ゲームを示し、スタートレバーの操作から３個のリールが停止するまでを１ゲームとし、さらには、ゲームを実行する上で行われるメダルの投入操作、メダルの賭け数の設定、入賞判定、及びメダルの払出し処理等、通常遊技状態以外の遊技状態に移行するまでの付属的な動作、処理が含まれるものとする。【００５２】  遊技機に電源が投入されると、再遊技自動投入処理が実行され（ステップ１０１）、割り込み処理を１回許可（ステップ１０２）した後、遊技メダルが投入チェック（ステップ１０３）、投入ボタンチェック（ステップ１０４）、精算ボタンチェック（ステップ１０５）、設定キーチェック（ステップ１０６）、スタートレバーチェック（ステップ１０７）がそれぞれ実行される。次に、スタートレバーが遊技者によって操作されたかを判定（ステップ１０８）し、Ｎｏの場合は、ステップ１０２に戻り、Ｙｅｓの場合は、メダル投入信号を遊技制御基板に送信（ステップ１０９）し、遊技開始時の設定処理が実行される（ステップ１１０）。その後、確率抽選処理が行われ（ステップ１１１）、役物に当選した場合はその役物の内部当選フラグをＲＡＭ上の所定の領域に記憶し、次いで、リールの回転処理が実行される（ステップ１１２）。リールが回転を開始してから一定の時間が経過すると、遊技者はリール停止ボタン操作が可能となり、遊技者によってリール停止ボタンが操作されると、遊技機は、リール停止処理を実行（ステップ１１３）する。リール停止処理は、具体的には、リール停止ボタン操作が行われるまでリール回転処理を続行し、一方、リールの回転開始から所定時間経過してもリール停止ボタンが操作されない場合には、自動停止処理が実行される。その後、停止した図柄の組み合わせに応じて入賞判定処理が実行される（ステップ１１４）。【００５３】  尚、入賞ラインの選択は、メダルの賭け数又はＢＥＴボタンの操作により、１本から３本を任意に選択して遊技させることも可能であり、また、全ての遊技を通じてメダル３枚賭けで、３本の入賞ラインを常時有効化させて遊技を行わせるようにしてもよい。【００５４】  各リールに配列される図柄の種類、それぞれの図柄数、配列間隔、入賞役の種類は、本実施例に限定されるものではない。【００５５】  また、本実施例においては、停止ボタンの押し順を、順押し（左、中、右）で操作することを前提に説明しているが、押し順はこれに限定されるものではなく、中押し（中、左、右）、逆押し（右、中、左）等種々の押し順で実施することも可能である。【００５６】  また、特典図柄の出現によって付加されたＢＢ遊技は、現ＢＢ遊技の終了後直ちに連荘して発生させてもよく、また、所定回数の通常遊技消化後等、所定の開始条件に基づいて順次発生させるようにしても���い。【００５７】  また、本実施例においては、ＢＢ遊技中の入賞役に対応する図柄（「ひよ子」）は、左リールにのみ配列され、リール停止ボタンは押し順不問で、入賞ライン上に引き込まれるように左リールが停止制御されるようになっているが、ＢＢ遊技中の入賞役が配列されるリールは、左リールに限定されるものではなく、また、リールの停止制御を行わず、リールの停止を無制御として、遊技者の停止ボタンの操作タイミングによる「目押し」技術の高低によって、入賞結果に差を持たせるようにすることも可能である。【００５８】  また、本実施例においては、リプレイは、第１図柄表示窓及び第２図柄表示窓を横に結ぶ入賞ライン上に３図柄が揃って停止した場合に入賞とする構成にしているが、第１図柄表示窓の入賞ライン上にリプレイ図柄が停止し、第２図柄表示窓に特典図柄が停止した場合には、例えば、ＲＴ遊技等の特殊遊技モードに移行させるようにしてもよい。
【図面の簡単な説明】
【００５９】
【図１】本発明の実施に係る遊技機を示す正面図である。
【図２】本発明の実施に係る遊技機の内部構造を示す正面図である。
【図３】本発明の実施に係る遊技機の概略ブロック図である。
【図４】本発明の実施に係る遊技機のリールの図柄配列を例示した図である。
【図５】本発明の実施に係る遊技機の入賞ラインの形態を例示した図である。
【図６】本発明の実施に係る遊技機の入賞図柄停止パターンを示す図である。
【図７】本発明の第２実施例に係る遊技機の図柄表示例を示す図である。
【図８】本発明の実施に係るメイン遊技処理のフローチャートである。
【符号の説明】
【００６０】  １…スロットマシン
２…前扉
３…第１図柄表示窓
４、５、６…左、中、右リール
７…第２図柄表示窓
１２…スタートレバー
１３、１４、１５…リール停止ボタン
１６…メダル受皿
１７…リールユニット
１８…ステッピングモータ
１９…ランプケース
２０…バックライト
２１…メダルホッパー
２２…電源ユニット
２３…設定段階設定スイッチ
２４…設定段キースイッチ
２５…メイン制御基板
２６…サブ制御基板
【図１】
2007083014.tif 000003
【図２】
2007083014.tif 000004
【図３】
2007083014.tif 000005
【図４】
2007083014.tif 000006
【図５】
2007083014.tif 000007
【図６】
2007083014.tif 000008
【図７】
2007083014.tif 000009
【図８】
2007083014.tif 000010